(57)【要約】【課題】資格を有する工事者を必要とせず、ワイヤレス通信機能及び電力線搬送通信機能を実現する。【解決手段】電力線搬送通信を行う電力線搬送受信部２４と電力線搬送送信部２５と；ワイヤレス通信を行うワイヤレス受信部２２とワイヤレス送信部２３と；ワイヤレス通信に用いられる信号と電力線搬送通信に用いられる信号とを相互に変換する変換部を構成する制御部２１と；電力線搬送受信部２４と電力線搬送送信部２５とに接続され、商用電源ライン２７に接続された給電部に結合する端子１２、１２と；を具備する。【選択図】図２
2009021951.tif 000002
【特許請求の範囲】
【請求項１】
電力線搬送通信を行う電力線搬送通信部と；
ワイヤレス通信を行うワイヤレス通信部と；
ワイヤレス通信に用いられる信号と電力線搬送通信に用いられる信号とを相互に変換する変換部と；
電力線搬送通信部に接続され、商用電源の給電部に結合する端子と；
を具備することを特徴とするアダプタ。
【請求項２】
電力消費負荷を接続する接続部と；
電力線搬送通信部またはワイヤレス通信部が受信した制御信号に基づき、電力消費負荷に対し商用電源からの電力消費負荷の電力供給を制御する電源供給制御部と；
を具備することを特徴とする請求項１に記載のアダプタ。
【請求項３】
請求項２に記載のアダプタと；
接続部に接続された点灯回路と；
点灯回路に接続された照明負荷と；
を具備することを特徴とする照明装置。
【発明の詳細な説明】
【技術分野】
【０００１】
この発明は、ワイヤレス通信機能及び電力線搬送通信機能を備えたアダプタ及びこのアダプタの構成を備えた照明装置に関するものである。
【背景技術】
【０００２】
従来、ワイヤレス通信機能及び電力線搬送通信機能を備えたアダプタとしては、商用電源ラインに接続されているコンセントに、この機能を内蔵したものが知られている（特許文献１参照）。しかしながら、通常のコンセントにこの機能を追加する必要がある場合には、電気工事ライセンスを有する工事者に依頼する必要があり、煩わしいものであった。
【０００３】
また、商用電源ラインと照明器具との間に設けられ、リモコン通信により制御信号を照明器具側へ送って照明制御を行うアダプタも知られている（特許文献２参照）。しかしながら、このアダプタにあっては、照明器具がリモコン通信機能を有することが前提であり、リモコン通信機能を持たない照明器具を制御することができなかった。
【特許文献１】特開昭６１−４２８８５号公報
【特許文献２】特開２００５−１５８４３９号公報
【発明の開示】
【発明が解決しようとする課題】
【０００４】
本発明が上記のような従来のワイヤレス通信機能及び電力線搬送通信機能を備えたアダプタが有する問題点に鑑みなされたもので、その目的は、特別な資格を有する工事者を必要とせず、ワイヤレス通信機能及び電力線搬送通信機能を実現できるアダプタを提供することである。また、リモコン通信機能を備えていない電力消費負荷の制御を可能とするアダプタを提供することである。更に、このアダプタの機能を有する照明装置を提供することを目的とする。
【課題を解決するための手段】
【０００５】
本発明に係るアダプタは、電力線搬送通信を行う電力線搬送通信部と；ワイヤレス通信を行うワイヤレス通信部と；ワイヤレス通信に用いられる信号と電力線搬送通信に用いられる信号とを相互に変換する変換部と；電力線搬送通信部に接続され、商用電源の給電部に結合する端子と；を具備することを特徴とする。
【０００６】
電力線搬送通信部は、電力線搬送送信部と電力線搬送受信部との少なくとも一方を含む。ワイヤレス通信とは、赤外線による通信や無線通信を許容する。ワイヤレス通信部には、ワイヤレス送信部とワイヤレス受信部との少なくとも一方を含む。商用電源の給電部とは、例えば、コンセント、照明器具が取り付けられ、天井等に配設される引掛けシーリングの端子台、ライティングダクトのレール等であっても良い。
【０００７】
本発明に係るアダプタは、電力消費負荷を接続する接続部と；電力線搬送通信部またはワイヤレス通信部が受信した制御信号に基づき、電力消費負荷に対し商用電源からの電力消費負荷の電力供給を制御する電源供給制御部と；を具備することを特徴とする。
【０００８】
電力消費負荷は、各種の照明負荷の他、冷蔵庫、洗濯機、エアコンなど各種の電気機器を含む。また、電源供給制御部が行う電力供給の制御は、電源のオンオフに限定されることなく、照明負荷に対する場合であれば調光制御、また、エアコンに対する場合であれば温度などに関する電力制御を含む。
【０００９】
本発明に係る照明器具は、請求項２に記載のアダプタと；接続部に接続された点灯回路と；点灯回路に接続された照明負荷と；を具備することを特徴とする。
【発明の効果】
【００１０】
本発明に係るアダプタは、電力線搬送通信部とワイヤレス通信部と、ワイヤレス通信に用いられる信号と電力線搬送通信に用いられる信号とを相互に変換する変換部に加えて、商用電源の給電部に結合する端子を備えているので、商用電源の給電部に挿入して結合させることができ、商用電源の給電部が配置された位置において簡単に電力線搬送通信機能とワイヤレス通信機能とを実現できる。
【００１１】
本発明に係るアダプタは、電力線搬送通信部とワイヤレス通信部と、ワイヤレス通信に用いられる信号と電力線搬送通信に用いられる信号とを相互に変換する変換部に加えて、電力線搬送通信部またはワイヤレス通信部が受信した制御信号に基づき、電力消費負荷に対し商用電源からの電力消費負荷の電力供給を制御する電源供給制御部を備えているので、ワイヤレス通信や電力線搬送通信機能を備えない電力消費負荷と商用電源との間に設けて、電力消費負荷の電力供給を制御することができる。
【００１２】
本発明に係る照明装置は、照明負荷に対し商用電源からの電力消費負荷の電力供給を制御する電源供給制御部を備えているので、ワイヤレス通信や電力線搬送通信により電力消費負荷の電力供給を制御することができる。
【発明を実施するための最良の形態】
【００１３】
以下添付図面を参照して、本発明に係るアダプタ及び照明装置の実施例を説明する。各図において、同一の構成要素には、同一の符号を付して重複する説明を省略する。第１の実施例に係るアダプタ１０は、図１に示されるように、例えば直方体の筐体部１１の一面から商用電源の給電部としてのコンセントに結合する端子１２、１２が突出している。上記端子１２、１２の突出面の裏面には、赤外線受光部１３が設けられている。
【００１４】
図２に、アダプタ１０の機能ブロック図を示す。アダプタ１０は、筐体部１１内に制御部２１、ワイヤレス受信部２２、ワイヤレス送信部２３、電力線搬送受信部２４、電力線搬送送信部２５及び電源供給部２６が備えられている。
【００１５】
ワイヤレス受信部２２とワイヤレス送信部２３は、ワイヤレス通信部を構成する。また、電力線搬送受信部２４と電力線搬送送信部２５は、電力線搬送通信部を構成する。電源供給部２６は端子１２、１２を介して商用電源ライン２７から電力を得て、直流化すると共に電圧値を所要に変換してアダプタ１０内の各部へ供給するものである。
【００１６】
ワイヤレス受信部２２とワイヤレス送信部２３は、例えば赤外線によりデータ通信を行うものとする。ワイヤレス受信部２２とワイヤレス送信部２３は、必ずしも双方が備えられている必要はなく、使用される形態により少なくとも一方が備えられていれば良い。
【００１７】
電力線搬送受信部２４と電力線搬送送信部２５は、商用電源ライン２７を介して所要の変調方式によりデータ通信を行うものである。制御部２１は、ワイヤレス通信に用いられる信号と電力線搬送通信に用いられる信号とを相互に変換する変換部の機能を有している。ワイヤレス受信部２２は受信した信号からデータ（情報）を取り出し制御部２１へ送出し、制御部２１は、電力線搬送送信部２５を介してデータを変調して電力線搬送信号として商用電源ライン２７に送信する。また、商用電源ライン２７から取り込まれた信号は電力線搬送受信部２４により復調されてデータとされ、このデータは制御部２１によりワイヤレス送信部２３を介して赤外線信号として送信される。
【００１８】
上記の構成のアダプタ１０−１、１０−２を用いて構成した照明システムを図３に示す。このシステムでは、商用電源ライン３１にコンセント３２−１、３２−２が接続されており、このコンセント３２−１、３２−２にアダプタ１０−１、１０−２が結合されている。
【００１９】
また、商用電源ライン３１には、照明器具３３と照明器具３４とが接続されている。照明器具３３は、ワイヤレス通信機能を有しており、例えば図４に示す如くに構成される。即ち、照明器具３３は、制御部４１、点灯回路４２、ワイヤレス受信部４３、照明負荷４４、電源部４５を備えている。商用電源ライン３１による交流電力は電源部４５及び点灯回路４２に与えられる。電源部４５は、交流電流を直流電流に変換すると共に所要電圧を生成して各部へ供給する。
【００２０】
ワイヤレス受信部４３は、受け取ったワイヤレス信号からデータ（情報）を取り出して制御部４１へ送出する。制御部４１は、ワイヤレス受信部４３から送られるデータ（情報）を受けて自装置当てのデータである場合に、これに基づき点灯回路４２を制御する。点灯回路４２では、制御部４１からの制御に基づき照明負荷４４の点灯・消灯などの処理が行われる。
【００２１】
また、照明器具３４は、電力線搬送通信機能を有しており、例えば、図５に示す如くに構成される。即ち、照明器具３４は、制御部５１、点灯回路５２、電力線搬送受信部５３、照明負荷５４、電源部５５を備えている。商用電源ライン３１による交流電力は電源部５５、電力線搬送受信部５３及び点灯回路５２に与えられる。電源部５５は、交流電流を直流電流に変換すると共に所要電圧を生成して各部へ供給する。
【００２２】
電力線搬送受信部５３は、電力線搬送信号を受信してデータ（情報）を取り出して制御部５１へ送出する。制御部５１は、電力線搬送受信部５３から送られるデータ（情報）を受けて自装置宛のデータである場合に、これに基づき点灯回路５２を制御する。点灯回路５２では、制御部５１からの制御に基づき照明負荷５４の点灯・消灯などの処理が行われる。
【００２３】
図３に示す照明システムでは、ワイヤレス通信による照明制御指示を送信するためのリモコン装置６０が備えられており、このリモコン装置６０は、例えば図６に示すように構成されている。即ち、制御部６１にキーボード６２、表示部６３及びワイヤレス送信部６４が接続された構成となっている。
【００２４】
キーボード６２からは、制御対象の照明器具を特定するデータ（照明器具名称或いはＩＤ）、制御内容（例えば、照明のオンオフ）を指示するデータを入力可能である。入力されたデータは制御部６１により取り込まれ、表示部６３に表示される。キーボード６２には、送信指示キーが備えられ、上記表示部６３に表示された制御対象と制御内容のデータをオペレータが確認できると、上記送信指示キーを操作することにより、制御部６１は、これを受けてワイヤレス送信部６４へ上記確認された制御対象と制御内容のデータを与えて、これをワイヤレス信号として送信させる。
【００２５】
以上の構成において、照明器具３３は、リモコン装置６０から送信された信号が届かない位置（部屋が異なるなど）にある。照明器具３３は、アダプタ１０−２と通信可能範囲にある。リモコン装置６０は、アダプタ１０−１と通信可能範囲にある。照明器具３４の設置位置は、この例では問題ではない。
【００２６】
上記のような関係にあるので、例えば、リモコン装置６０を用いて照明器具３３、３４の制御を行うことが可能である。つまり、先に説明した通り、キーボード６２を操作して照明器具３３を特定するデータ（照明器具名称或いはＩＤ）、制御内容（例えば、照明のオンオフ）を指示するデータを入力する。これが制御部６１により受け取られて表示部６３に表示されるので、確認することにより送信指示キーを操作すると、ワイヤレス送信部６４から送信され、アダプタ１０−１により受信される。
【００２７】
アダプタ１０−１では、ワイヤレス受信部２２が受け取った信号から得られるデータ（照明器具３３を特定するデータ、制御内容のデータ）が制御部２１により取り込まれて、電力線搬送送信部２５へ与えられ、変調されて信号化されてコンセント３２−１を介して商用電源ライン３１へ送出される。
【００２８】
商用電源ライン３１へ送出された上記信号は、アダプタ１０−１の電力線搬送受信部２４と、照明器具３４の電力線搬送受信部５３により受け取られて復調され、データが取り出されて、それぞれ制御部２１、５１へ送られるが、照明器具３３を特定するデータが含まれているため、制御部５１は、このデータに基づく動作を行わない。
【００２９】
一方、アダプタ１０−２の制御部２１は、照明器具３３を特定するデータに拘わりなく、電力線搬送受信部２４から取り込んだデータをワイヤレス送信部２３へ与えてワイヤレス信号として送信させる。アダプタ１０−２との通信範囲には照明器具３３があり、照明器具３３の制御部４１はワイヤレス受信部４３により受信され、取り出されたデータを取り込み、照明器具３３を特定するデータと制御内容（例えば、照明のオンオフ）を得る。
【００３０】
制御部４１は、自装置の照明器具名称或いはＩＤなど、自装置である照明器具３３を特定するデータを得ることになり、自装置宛の制御指示であることを検出し、これら取り込んだデータに基づき点灯回路４２を制御する。点灯回路４２では、制御部４１からの制御に基づき照明負荷４４の点灯・消灯などの処理が行われる。
【００３１】
上記に対し、リモコン装置６０から照明器具３４を宛先とする制御データが送られた場合には、照明器具３３の制御部４１は、自装置を宛先としない制御データを受け取ることになり、点灯回路４２の制御は行われない。
【００３２】
一方、リモコン装置６０から照明器具３４を宛先とする制御データは、照明器具３４の制御部５１も受け取る。即ち、制御部５１は、自装置の照明器具名称或いはＩＤなど、自装置である照明器具３４を特定するデータを得ることになり、自装置宛の制御指示であることを検出し、これら取り込んだデータに基づき点灯回路５２を制御する。斯して、点灯回路５２では、制御部５１からの制御に基づき照明負荷５４の点灯・消灯などの処理が行われる。
【００３３】
以上の説明から明らかな通り、この図３に示されたシステムにおいては、アダプタ１０−１では、ワイヤレス受信部２２と電力線搬送送信部２５が備えられていれば良く、ワイヤレス送信部２３と電力線搬送受信部２４は具備されていなくとも良い。また、アダプタ１０−２では、ワイヤレス送信部２３と電力線搬送受信部２４が備えられていれば良く、ワイヤレス受信部２２と電力線搬送送信部２５は具備されていなくとも良い。
【００３４】
図７に、第２の実施例に係るアダプタ１０Ａの構成を示す。アダプタ１０Ａは、商用電源ライン２７と、照明器具などの電力消費負荷との間に設けられる。アダプタ１０Ａは、制御部２１Ａ、ワイヤレス受信部２２、電力線搬送受信部２４、電力線搬送送信部２５、電源供給部２６、電力供給制御部２９、接続部３０及び端子２８を備えている。
【００３５】
接続部３０は電力供給制御部２９と照明器具などに接続するもので、例えば、照明器具側の引掛シーリングキャップと結合される引掛シーリングなどのワンタッチ取付具などにより構成される。また、端子２８は商用電源ライン２７の間に引掛シーリングキャップを備え、天井に設けられた引掛シーリングなどに結合するように構成される。
【００３６】
制御部２１Ａには自装置に接続された照明器具（電力消費負荷）の照明器具名称或いはＩＤなどの識別情報が予め設定され、制御部２１Ａは、電力線搬送受信部２４またはワイヤレス受信部２２から受け取ったデータの宛先が自装置に接続された照明器具（電力消費負荷）である場合に、このデータを電力供給制御部２９に与える。電力供給制御部２９は、制御部２１Ａから与えられた上記データに基づき、照明器具に対し商用電源ライン２７からの電力供給を制御するものである。このアダプタ１０Ａの他の構成は、第１の実施例に係るアダプタ１０と同一である。係る構成のアダプタ１０Ａ−１、１０Ａ−２を用いて図８に示される照明システムを構成することができる。
【００３７】
商用電源ライン３１には、アダプタ１０Ａ−１、１０Ａ−２が接続されると共に、照明器具３４−１、３４−２が直接接続される。また、アダプタ１０Ａ−１、１０Ａ−２には、それぞれ照明器具３８−１、３８−２が接続されている。照明器具３４−１、３４−２は、図５に示した照明器具５０に等しく、照明器具３８−１、３８−２は点灯回路と点灯回路により駆動される照明負荷を備えるものである。
【００３８】
このようなシステムにおいて、リモコン装置６０を用いて照明器具３８−１、３８−２、３４−１、３４−２の点灯制御を行う。ここでアダプタ１０Ａ−１はリモコン装置６０の通信範囲内にあるが、アダプタ１０Ａ−２はリモコン装置６０の通信範囲外にあるとする。照明器具３４−１、３４−２とリモコン装置６０の距離などは、ここでは問題とならない。
【００３９】
上記において、キーボード６２を操作して照明器具３８−１を特定するデータ（照明器具名称或いはＩＤ）、制御内容（例えば、照明のオンオフ）を指示するデータを入力する。これが制御部６１により受け取られて表示部６３に表示されるので、確認することにより送信指示キーを操作すると、ワイヤレス送信部６４から送信され、アダプタ１０Ａ−１により受信される。
【００４０】
アダプタ１０Ａ−１では、ワイヤレス受信部２２が受け取った信号から得られるデータ（照明器具３８−１を特定するデータ、制御内容のデータ）が制御部２１により取り込まれて、電力線搬送送信部２５へ与えられ、変調された信号がコンセント３２−１を介して商用電源ライン３１へ送出される。
【００４１】
また、制御部２１は、ワイヤレス受信部２２が受け取った信号から得られるデータの宛先が自装置に接続された照明器具３８−１であることを検出し、このデータを電力供給制御部２９に与える。電力供給制御部２９は、制御部２１Ａに与えられた上記データに基づき、照明器具３８−１に対し商用電源ライン３１からの電力供給を制御する。
【００４２】
コンセント３２−１を介して商用電源ライン３１へ送出された信号は、アダプタ１０Ａ−２や照明器具３４−１、３４−２へ到るが、データ化された場合に、その宛先がアダプタ１０Ａ−２に接続された照明器具３８−２や照明器具３４−１、３４−２ではないので、照明器具３８−２や照明器具３４−１、３４−２が制御されることはない。
【００４３】
また、キーボード６２を操作して照明器具３８−２または照明器具３４−１或いは照明器具３４−２を特定するデータ（照明器具名称或いはＩＤ）、制御内容（例えば、照明のオンオフ）を指示するデータが入力された場合にも、上記と同様にして送信指示キーを操作に応じてワイヤレス送信部６４から上記データがワイヤレス信号化されて送信され、アダプタ１０Ａ−１により受信される。
【００４４】
上記の場合には、制御部２１は、ワイヤレス受信部２２が受け取った信号から得られるデータの宛先が自装置に接続された照明器具３８−１ではないので、照明器具３８−１が制御されることはない。アダプタ１０Ａ−１では、ワイヤレス受信部２２が受け取った信号から得られるデータが電力線搬送送信部２５へ与えられ、変調された信号化がコンセント３２−１を介して商用電源ライン３１へ送出される。
【００４５】
コンセント３２−１を介して商用電源ライン３１へ送出された信号は、アダプタ１０Ａ−２や照明器具３４−１、３４−２へ到る。ここで、宛先が照明器具３８−２である場合には、アダプタ１０Ａ−２の制御部２１Ａが電力線搬送受信部２４が受け取った信号から得られるデータの宛先が自装置に接続された照明器具３８−２であることを検出し、このデータを電力供給制御部２９に与える。電力供給制御部２９は、制御部２１Ａに与えられた上記データに基づき、照明器具３８−２に対し商用電源ライン３１からの電力供給を制御する。照明器具３４−１、３４−２では自装置を宛先とするデータではないので、照明器具３４−１、３４−２が制御されることはない。
【００４６】
また、商用電源ライン３１から照明器具３４−１（３４−２）に到来したデータの宛先が照明器具３４−１（３４−２）であった場合には、照明器具３４−１（３４−２）の制御部５１は、自装置の照明器具名称或いはＩＤなど、自装置である照明器具３４−１（３４−２）を特定するデータを得ることになり、自装置宛の制御指示であることを検出し、これら取り込んだデータに基づき点灯回路５２を制御する。斯して、点灯回路５２では、制御部５１からの制御に基づき照明負荷５４の点灯・消灯などの処理が行われる。
【００４７】
以上の説明から明らかな通り、アダプタ１０Ａ−１が照明器具３８−１と天井との間に設けられるので、天井などの反射を含めてリモコン装置６０と適切な通信が可能となる。なお、この図８に示されたシステムにおいては、アダプタ１０Ａ−１では、ワイヤレス受信部２２と電力線搬送送信部２５が備えられていれば良く、ワイヤレス送信部２３と電力線搬送受信部２４は具備されていなくとも良い。また、アダプタ１０Ａ−２では、電力線搬送受信部２４が備えられていれば良く、ワイヤレス受信部２２と電力線搬送送信部２５は具備されていなくとも良い。しかしながら、どのような使用形態にも対応するようにワイヤレス受信部２２、ワイヤレス送信部２３、電力線搬送受信部２４及び電力線搬送送信部２５の全てを備えるようにしても良い。
【００４８】
図９には、図７に示したアダプタ１０Ａの構成を採用した照明装置１００の構成例が示されている。この照明装置１００にあっては、アダプタ１０Ａの構成に加えて、点灯回路８１とランプ等の照明負荷８２とを具備している。制御部２１Ｂは、電力線搬送受信部２４またはワイヤレス受信部２２から受け取ったデータの宛先が自装置である場合に、このデータを点灯回路８１に与える。点灯回路８１は、制御部２１Ａから与えられた上記データに基づき、照明負荷８２に対し商用電源ライン２７からの電力供給を制御するものである。なお、ワイヤレス受信部２２は、筐体１０１における照明対象面（通常、床面）を向くように取り付けられる。
【００４９】
この構成の照明装置１００は、図８における商用電源ライン３１に接続することにより、アダプタ１０Ａ−１と照明器具３８−１のセットや、アダプタ１０Ａ−２と照明器具３８−２のセットの如く機能する。
【図面の簡単な説明】
【００５０】
【図１】本発明に係るアダプタの第１の実施例の構成を示す斜視図であり、（a）は端子側から見た斜視図、（ｂ）は受光部側から見た斜視図。
【図２】本発明に係るアダプタの第１の実施例の構成を示すブロック図。
【図３】本発明に係るアダプタの第１の実施例を用いて構成した照明システムの構成を示すブロック図。
【図４】図３の照明システムに用いた照明器具の構成を示すブロック図。
【図５】図３の照明システムに用いた照明器具の構成を示すブロック図。
【図６】図３の照明システムに用いたリモコン装置の構成を示すブロック図。
【図７】本発明に係るアダプタの第２の実施例の構成を示すブロック図。
【図８】本発明に係るアダプタの第２の実施例を用いて構成した照明システムの構成を示すブロック図。
【図９】本発明に係るアダプタの第２の実施例を用いて構成した照明装置の構成を示すブロック図。
【符号の説明】
【００５１】
１０、１０Ａ  アダプタ                          １１  筐体部
１２  端子                                      １３  赤外線受光部
２１  制御部                                    ２１Ａ、２１Ｂ  制御部
２３  ワイヤレス送信部                          ２４  電力線搬送受信部
２５  電力線搬送送信部                          ２６  電源供給部
２７  商用電源ライン                            ２８  端子
２９  電力供給制御部                            ３０  接続部
３１  商用電源ライン                            ３３、３４  照明器具
４１  制御部                                    ４２  点灯回路
４３  ワイヤレス受信部                          ４４  照明負荷
４５  電源部                                    ５０  照明器具
５１  制御部                                    ５２  点灯回路
５３  電力線搬送受信部                          ５４  照明負荷
５５  電源部                                    ６０  リモコン装置
６１  制御部                                    ６２  キーボード
６３  表示部                                    ６４  ワイヤレス送信部
８１  点灯回路                                  ８２  照明負荷
１００  照明装置                                １０１  筐体
【図１】
2009021951.tif 000003
【図２】
2009021951.tif 000004
【図３】
2009021951.tif 000005
【図４】
2009021951.tif 000006
【図５】
2009021951.tif 000007
【図６】
2009021951.tif 000008
【図７】
2009021951.tif 000009
【図８】
2009021951.tif 000010
【図９】
2009021951.tif 000011